(57)【特許請求の範囲】
【請求項１】
記録媒体の駆動機構を収納した筐体と、筐体の前部に取付けられたノーズと、このノーズに形成された記録媒体の挿入口と、前記挿入口を開閉するドアと、前記ノーズの筐体側に取付けられた回路基板と、を有する電子機器において、
前記ノーズには、前記挿入口と連通する開口部を有して前記ドアを支持する支持枠が筐体側から取付けられており、前記回路基板が、前記支持枠の一部と重なる位置まで延びていることを特徴とする電子機器。
【請求項２】
前記回路基板には、前記挿入口に対応する凹部が形成されており、この凹部の周囲部分が前記支持枠の一部と重なっている請求項１記載の電子機器。
【請求項３】
前記支持枠の外周には、ノーズに取付けるための取付け部が突出形成されており、前記回路基板が前記取付け部と重なる位置へ延びている請求項１または２記載の電子機器。
【請求項４】
前記取付け部には挿入穴が形成され、前記ノーズから延びる突起が前記回路基板に形成された切欠きまたは穴を通過して筐体側に延びており、前記挿入穴に前記突起が挿入された状態で、前記回路基板の前記切欠きまたは穴の周囲部分が前記取付け部と重なっている請求項３記載の電子機器。
【請求項５】
前記取付け部には取付穴が形成され、この取付け穴と回路基板に形成された穴または切り欠きに挿入された取付けねじが前記ノーズに螺着されて回路基板および支持枠が固定されており、前記回路基板の穴または切り欠きの周囲部分が前記取付け部と重なっている請求項３記載の電子機器。
【請求項６】
前記回路基板の凹部の周囲部分が、ノーズと支持枠との間に挟持され、前記凹部の縁面が前記挿入口の内面と前記支持枠の開口部の内面とほぼ同一面の位置まで延びている請求項２記載の電子機器。
【請求項７】
回路基板に形成された導体が、前記支持枠の一部と重なる位置に延びている請求項１ないし６のいずれかに記載の電子機器。
【請求項８】
筐体の内部から筐体の前方へ突出移動する突出移動部が設けられており、前記ノーズは、前記突出移動部の突出領域を除いた領域で前記筐体の前部を覆う大きさである請求項１ないし７のいずれかに記載の電子機器。
【発明の詳細な説明】
【０００１】
【発明の属する技術分野】
本発明は、記録媒体の挿入口を有するノーズが、筐体の前部に取付けられた電子機器に係り、特に前記ノーズの筐体側に設けられた回路基板をできるだけ広い面積にできるようにした電子機器に関する。
【０００２】
【従来の技術】
図９は従来の車載用電子機器を示す部分斜視図である。
筐体１は金属板で形成された箱状のものである。この筐体１は１ＤＩＮサイズであり、自動車の車室内のダッシュボードなどに埋設される。筐体１の前部には合成樹脂製のノーズ２が取付けられる。このノーズ２には開口部３が形成されており、この開口部３以外の部分では、ノーズ２の前面２ａに押釦などの操作部材が配置されている。
【０００３】
筐体１内には、前記開口部３から前方へ突出する突出移動部６が設けられている。この突出移動部６は、移動部材４とこの移動部材４に軸４ａで回動自在に連結された機器本体５とから成る。機器を使用していないときには、前記移動部材４が筐体１の内部に移動しており、前記機器本体５が水平姿勢のまま筐体１内に収納されている。
【０００４】
突出操作用の釦を押すと、移動部材４が開口部３から筐体１の前方へ突出移動する。さらに、移動部材４に支持されている機器本体５が前記軸４ａを支点として矢印方向へ回動して機器本体５が立ち上がり姿勢となる。機器本体５には液晶パネルなどの表示画面や操作部材が設けられ、機器本体５が立ち上がり姿勢となったときに、前記表示画面や操作部材が筐体１の前方に向けられる。
【０００５】
また前記ノーズ２には、前記開口部３の下側に挿入口７が開口しており、この挿入口７から、ＭＤやＣＤまたはカセットテープなどの記録媒体が挿入される。また筐体１内には、前記挿入口７から挿入された記録媒体を駆動する駆動機構が収納されている。
【０００６】
【発明が解決しようとする課題】
この種の電子機器のノーズ２では、その筐体１側に回路基板が取付けられている。この回路基板には、ノーズ２の前面２ａに多数配列されている操作部材に対応するスイッチや可変抵抗器などが実装されている。また、前記回路基板には、前記スイッチや可変抵抗器を除く領域に導体パターンが密集して形成されている。
【０００７】
図９に示すように、ノーズ２に記録媒体の挿入口７が開口されていると、前記回路基板に、前記挿入口７に対応する凹部を形成することが必要になる。また、ノーズには、前記挿入口に開閉ドアを支持するための支持枠を筐体側から取付けることが必要であるが、この支持枠の取付けのために、前記回路基板に、前記凹部からさらに延長する切欠きを形成することが必要になる。
【０００８】
その結果、回路基板の幅寸法が部分的に狭くなる。幅寸法が狭くなる場所では、前記導体パターンを迂回させることが必要になり、回路基板上での導体パターンの配線設計が非常に難しくなる。特に図９に示すように、ノーズ２に突出移動部６を突出させる開口部３と、記録媒体の挿入口７の双方が形成されているものでは、前記回路基板の上下方向の幅寸法がきわめて狭くなるため、前記支持枠を取りつけるための切欠きを回路基板に設けると、回路基板が部分的に極端に細くなり、前記導体パターンの配線設計が非常に困難になる。
【０００９】
本発明は上記従来の課題を解決するものであり、ノーズにドアを支持する支持枠が取付けられるものにおいて、前記支持枠に隣接している部分の回路基板の幅寸法を可能な限り広く利用できるようにした記録媒体の挿入口を有する電子機器を提供することを目的としている。
【００１０】
【課題を解決するための手段】
本発明は、記録媒体の駆動機構を収納した筐体と、筐体の前部に取付けられたノーズと、このノーズに形成された記録媒体の挿入口と、前記挿入口を開閉するドアと、前記ノーズの筐体側に取付けられた回路基板と、を有する電子機器において、
前記ノーズには、前記挿入口と連通する開口部を有して前記ドアを支持する支持枠が筐体側から取付けられており、前記回路基板が、前記支持枠の一部と重なる位置まで延びていることを特徴とするものである。
【００１１】
例えば、前記回路基板には、前記挿入口に対応する凹部が形成されており、この凹部の周囲部分が前記支持枠の一部と重なっているものである。
【００１２】
上記のようにノーズの挿入口の内側にドアを支持する支持枠を設ける場合、従来は支持枠を避けるようにして回路基板を取付けていた。そのため回路基板の幅寸法が細くなり、幅の細い部分で回路基板の導体パターンを迂回させて形成することが必要になっていた。しかし本発明では、回路基板を支持枠と重なる位置へ延ばすことにより、回路基板の幅寸法を可能な限り大きくできるようにしている。したがって、回路基板に導体パターンを比較的余裕を有して引き回すことができる。
【００１３】
例えば、前記支持枠の外周には、ノーズに取付けるための取付け部が突出形成されており、前記回路基板が前記取付け部と重なる位置へ延びている。
【００１４】
従来は、回路基板に、前記取付け部を避けるために大きな切欠きを形成していたが、本発明では、前記取付け部と回路基板が重なっているため、回路基板の前記切欠きを小さくでき、場合によっては切欠きを形成しなくてもよくなる。よってその分だけ、回路基板の導体パターンの配置設計に余裕をもたせることができる。
【００１５】
例えば、前記取付け部には挿入穴が形成され、前記ノーズから延びる突起が前記回路基板に形成された切欠きまたは穴を通過して筐体側に延びており、前記挿入穴に前記突起が挿入された状態で、前記回路基板の前記切欠きまたは穴の周囲部分が前記取付け部と重なるものとなる。
【００１６】
あるいは、前記取付け部には取付穴が形成され、この取付け穴と回路基板に形成された穴または切り欠きに挿入された取付けねじが前記ノーズに螺着されて回路基板および支持枠が固定されており、前記回路基板の穴または切り欠きの周囲部分が前記取付け部と重なるものとなる。
【００１７】
あるいは、前記回路基板の凹部の周囲部分が、ノーズと支持枠との間に挟持され、前記凹部の縁面が前記挿入口の内面と前記支持枠の開口部の内面とほぼ同一面の位置まで延びているものであってもよい。
【００１８】
本発明では、回路基板に形成された導体が、前記支持枠の一部と重なる位置（または支持枠の一部と接近する位置）に延びているものにでき、前記導体の配置設計に余裕を持つことができる。
【００１９】
例えば、筐体の内部から筐体の前方へ突出移動する突出移動部が設けられており、前記ノーズは、前記突出移動部の突出領域を除いた領域で前記筐体の前部を覆う大きさであるものとすることができる。
【００２０】
このように筐体の前部に突出移動部の突出領域が設けられているものでは、ノーズをさらに細いものにしなくてはならなくなり、回路基板がさらに幅細になる。このような機器において、支持枠の一部と回路基板とを重ねると、回路基板上での導体の引き回しを容易にできるようになる。
【００２１】
【発明の実施の形態】
図１は本発明の実施の形態として、車載用電子機器の筐体前部の構造を示す分解斜視図、図２は機器本体が筐体の前方で立ち上がり姿勢へ回動した状態を示す斜視図、図３はノーズを筐体側から示す分解斜視図、図４はノーズの一部を筐体側から示す背面図、図５は支持枠の背面図、図６は図４のＶＩ−ＶＩ線の断面図、図７は図４のＶＩＩ−ＶＩＩ線の断面図である。
【００２２】
図１以下に示す車載用電子機器は、箱状の筐体１１を有している。図では、筐体１１が金属板でコの字状に折り曲げられており、天井板１２と、この天井板１２の両側部から直角に折り曲げられた側板１３，１３とを有している。筐体１１の底部には、図示しない底板が組み付けられ、底板と前記側板１３，１３とがねじなどで固定される。図１に示すように、前記天井板１２の前縁部には、筐体１１を構成する金属板が部分的に二つ折りされた二つ折り部１２ａが設けられている。
【００２３】
筐体１１内では、天井板１２側に片寄った部分に突出移動部２０が突出移動自在に設けられている。これに対応して、筐体１１の前部の上方領域が前記突出移動部２０の突出領域１６（図１参照）となっている。また筐体１１内において前記突出移動部２０が移動する領域よりも下側の領域には、記録媒体であるＭＤ（ミニディスク）を駆動するディスクドライブ機構や、ディスク駆動用の回路、チューナ、アンプ、電源回路などの各種電子回路が収納される。
【００２４】
また筐体１１の両側板１３，１３の内側には、前記突出移動部２０を案内する案内部材３０が設けられている。また前記筐体１１の前部には、前記突出移動部２０の突出領域１６以外の領域を覆うノーズ４０が取付けられる。
【００２５】
前記突出移動部２０は、筐体１１内で移動する移動部材２１と、この移動部材２１の内部をさらに移動する支持部材２２（図２参照）と、この支持部材２２に連結軸２５によって支持された機器本体２３とから構成されている。
【００２６】
図１に示すように、案内部材３０は、金属板により断面がＬ字形状に折り曲げられた案内レールである。この案内部材３０は、案内面３１が前記天井板１２と平行に延びており、案内面３１から直角に折り曲げられた折り曲げ部３２が形成されている。また案内面３１から突出する突起３３が側板１３に嵌合して案内部材３０が位置決めされている。
【００２７】
前記移動部材２１の外側面にはそれぞれ２個のローラ２４が回転自在に支持されており、このローラ２４が、案内部材３０の案内面３１と筐体１１の天井板１２との間を転動する。
【００２８】
図１に示す収納状態では、移動部材２１の先部２１ａと、機器本体２３の上面２３ｂが、筐体１１よりも前方へやや突出している。この状態で、前記機器本体２３の上面２３ｂに設けられた操作釦２６を押すとモータが始動する。このモータの動力により、まず移動部材２１が筐体１１の前方へ短い距離突出移動して停止する。さらに前記モータの動力により、移動部材２１内で支持部材２２が前方へ移動する。このとき、支持部材２２に連結された機器本体２３が水平姿勢のまま筐体１１の前方に突出する。さらに機器本体２３が連結軸２５を支点として上方へ回動し、図２に示す立ち上がり姿勢となる。
【００２９】
図２に示すように、機器本体２３の化粧面２３ａに表示画面２７が設けられている。表示画面２７の外周には合成樹脂などで形成された枠体２９ａが嵌め込まれており、この枠体２９ａに一対の突条部２９，２９が一体に隆起形成されている。この突条部２９，２９は、機器本体２３が筐体１１の内外へ移動するときに化粧面２３ａや表示画面２７を保護する機能を発揮する。さらに化粧面２３ａには凹部２３ｃが形成されており、この凹部２３ｃ内に操作部材として操作ノブ２８が配置されている。
【００３０】
図１に示すように、前記ノーズ４０は合成樹脂で形成されたものであり、前記筐体１１の前部に設置される。
【００３１】
ノーズ４０は、筐体１１の前部での前記突出領域１６以外の領域を覆う本体部４１と、この本体部４１の両側部に一体に設けられている側枠部４２，４２とを有している。本体部４１の前面には、筐体１１内のディスクドライブ機構へＭＤなどの記録媒体を挿入しまた前記ディスクドライブ機構からＭＤなど排出するために挿入口４６が開口している。また本体部４１の前面には各種操作部材４７が配列している。
【００３２】
前記側枠部４２，４２は、その突出部４２ａ，４２ａが前記本体部４１よりも上方へ延びている。側枠部４２，４２の先端４２ｂ，４２ｂには側枠部４２と４２とが対向する方向へＬ字形状に突出するリブ４２ｂ１が一体に形成されている。図１に示すように、それぞれの側枠部４２，４２の突出部４２ａ，４２ａには、筐体１１の方向へ延びる板状の挿入突起４３が一体に形成されている。また側枠部４２，４２には、筐体１１の方向へ延びる支持片４４が一体に形成されている。この支持片４４には取付穴４４ａが穿設されている。
【００３３】
ノーズ４０を筐体１１の前部に設置するときには、前記挿入突起４３が、筐体１１の側板１３の内面と、前記案内部材３０の折り曲げ部３２との間の隙間内に差し込まれる。また、前記支持片４４は、筐体１１の側板１３の外面に設置され、取付けねじ４５が取付穴４４ａに挿入され、側板１３に形成された雌ねじ穴１３ａに螺着される。
【００３４】
図３に示すように、ノーズ４０の本体部４１内には、角筒状の枠部５１が一体に形成されており、この枠部５１内に前記挿入口４６が形成されている。この枠部５１の筐体１１側では、下縁側に一対の突起５２，５２が突出形成されている。枠部５１の両側片には掛止穴５３，５３が形成された突片が設けられている。さらに前記枠部５１の上縁側に穴５４が形成されている。
【００３５】
前記枠部５１には、筐体１１側から、ドア４８を回動自在に支持する支持枠５５が取付けられる。ドア４８の支持軸４８ａ，４８ａは、支持枠５５に設けられた図示しない支持穴に回動自在に挿入されている。図６と図７に示すように、枠部５１と支持枠５５との境界付近に位置しているドア４８は、筐体１１の内側（１）と、外側（２）の双方へ回動自在であり、図示しないばねにより図６、図７に示す中立位置に保持されている。記録媒体であるＭＤを挿入口４６から挿入すると、このＭＤに押されてドア４８が内側（１）へ開き、ＭＤが筐体１１内のドライブ機構に装填されると、ドア４８が中立姿勢に復帰する。また筐体１１内からＭＤが排出されるときには、ＭＤに押されてドア４８が外側（２）へ回動する。
【００３６】
図３と図５に示すように、前記支持枠５５には、前記挿入口４６と連通する開口部５５ａが形成されている。前記支持枠５５の下面には、第１の取付け部５５ｂ，５５ｂが一体に突出形成されており、この取付け部５５ｂ，５５ｂに挿入穴５５ｃ，５５ｃが開口している。また支持枠５５の下面には第２の取付け部５５ｄが一体に突出形成されており、この取付け部５５ｄには取付け穴５５ｅが穿設されている。
【００３７】
また、支持枠５５の両側部には掛止突起５５ｆ，５５ｆが一体に形成されている。また図３に示すように、支持枠５５のノーズ４０に向く側の上縁部には突起５５ｇが一体に形成されている。
【００３８】
前記ノーズ４０の筐体１１側には回路基板５７が取付けられる。前記ノーズ４０の本体部４１の内部には、筐体１１側に延びる支持柱５８，５８および支持柱５９が一体に形成されている。これに対応して回路基板５７には取付け穴５７ａ，５７ａおよび取付け穴５７ｂが穿設されている。
【００３９】
図４では回路基板５７をハッチングを付して示している。図３と図４に示すように、回路基板５７には枠部５１を避けるための凹部６１が形成されている。この凹部６１は、ノーズ４０に形成された前記枠部５１の外周面に一致する大きさに形成されている。また前記凹部６１の内縁部には、一対の切欠き６１ａ，６１ａが形成されている。図４に示すように、この切欠き６１ａ，６１ａは、前記枠部５１から突出する前記突起５２，５２が通過できる程度の最小寸法で形成されている。
【００４０】
回路基板５７の前面（ノーズ４０側の面）５７ｃには、電子機能部品として多数のスイッチ（またはスイッチ素子）６２が配列されている。図１には省略しているが、前記ノーズ４０の本体部４１の前面には多数の操作ノブ４７ａが配列されており、図６と図７に示すように、各操作ノブ４７ａにより前記スイッチ６２を押圧操作可能となっている。
【００４１】
また回路基板５７の前面５７ｃには、前記スイッチ６２の接点に導通する複数（多数）の導体パターン６３が形成されている。この導体パターン６３は、前記スイッチ６２を避けるようにしてパターン成形されている。図３に示すように、回路基板５７では、前記凹部６１および切欠き６１ａが形成されている部分で、基板の幅寸法が極端に狭くなっている。したがって、前記導体パターン６３は、前記凹部６１の周囲部分および切欠き６１ａの周囲部分にきわめて接近する位置まで配線されている。また凹部６１と取付け穴５７ｂとの間にも導体パターン６３が形成されている。
【００４２】
次に、前記ドア４８、支持枠５５および回路基板５７をノーズ４０に取付ける作業を説明する。
【００４３】
まず、回路基板５７の取付け穴５７ａ，５７ａおよび取付け穴５７ｂを、ノーズ４０側の支持柱５８，５８および支持柱５９に一致させる。そしてまず回路基板５７の両側に形成されている取付穴５７ａ，５７ａに取付けねじが挿入され、各支持柱５８，５８に螺着される。これにより回路基板５７が取付けられる。このとき図４に示すように、回路基板５７の凹部６１がノーズ４０の枠部５１の外面に一致し、また枠部５１から一体に突出する突起５２，５２が回路基板５７の切欠き６１ａ，６１ａ内に入り、突起５２，５２は切り欠き６１ａ，６１ａ内を通過して回路基板５７の背面側に延びる。
【００４４】
次に、ドア４８を支持する支持枠５５が取付けられる。支持枠５５は、回路基板５７の凹部６１内に挿入されて、支持枠５５が枠部５１に突き当てられ、支持枠５５の開口部５５ａの内面と、ノーズ４０の挿入口４６の内面とが全周においてまたは一部において連続するように取付けられる。このとき、支持枠５５の両側部の掛止突起５５ｆ，５５ｆがノーズ４０側の掛止穴５３，５３に掛止される。また突起５５ｇがノーズ４０側の穴５４に嵌入される。
【００４５】
また、支持枠５５が枠部５１に取付けられると、図４および図６に示すように、回路基板５７から背面側へ突出する突起５２，５２が、支持枠５５の第１の取付け部５５ｂ，５５ｂの挿入穴５５ｃ，５５ｃに挿入される。このとき、回路基板５７の前記切欠き６１ａ，６１ａの周囲部分が、前記第１の取付け部５５ｂ，５５ｂと重なる。
【００４６】
また、図４および図７に示すように、支持枠５５の下方に延びる第２の取付け部５５ｄも、回路基板５７の背面側に重ねられる。そして第２の取付け部５５ｄに穿設された取付け穴５５ｅと、回路基板５７に穿設された取付け穴５７ｂとが一致する。図７に示すように、この状態で、前記取付け穴５５ｅと取付け穴５７ｂに取付けねじ６５が挿入され、ノーズ４０側の支持柱５９の先端の雌ねじ穴に螺着される。
【００４７】
上記のように支持枠５５は第１の取付け部５５ｂ，５５ｂなどの凹凸嵌合により位置決めされ、前記第２の取付け部５５ｄがねじ止めされることにより固定される。このとき回路基板５７の縁部は、第１の取付け部５５ｂ，５５ｂと重なる位置まで延び、また第２の取付け部５５ｄと重なる位置まで延びている。したがって、支持枠５５を取付ける部分において、回路基板５７の上下方向の幅寸法が短くなるのを最小限に止めることができ、導体パターン６３の引き回し領域に余裕をもたせることができる。
【００４８】
すなわち、導体パターン６３を切欠き６１ａに接近する位置で且つ第１の取付け部５５ｂと重なる領域に形成することができ、また第２の取付け部５５ｄと重なる部分で、凹部６１の縁部と取付け穴５７ｂとの間の領域にも導体パターン６３を形成することができる。よって、回路基板５７の前面５７ｃにおける導体パターン６３の配置設計を容易にできる。
【００４９】
特にこの実施の形態では、１ＤＩＮサイズの限られた大きさの筐体１１内に突出移動部２０（機器本体２３）が突出するように設けられているため、ノーズ４０の本体部４１の上下方向の幅寸法が小さい。さらにこの幅寸法の小さい本体部４１に挿入口４６が形成されているため、回路基板５７に凹部６１を形成しなくてはならず、凹部６１が形成されている部分で回路基板５７の幅寸法がきわめて狭くなっている。この狭い領域に、導体パターン６３がスイッチ６２を避けるようにして形成されるため、導体パターン６３を密集して形成しなくてはならない。
【００５０】
前記実施の形態では、回路基板５７を第１の取付け部５５ｂおよび第２の取付け部５５ｄと重なる位置まで延ばしていることにより、回路基板の幅寸法を可能な限り広くでき、導体パターン６３の配置に余裕を与えることができる。
【００５１】
次に、図８は本発明の他の実施の形態を示すノーズの断面図である。
【００５２】
この実施の形態では、図３に示す回路基板５７の凹部６１の縁面６１ｂが、ノーズ４０の枠部５１と、支持枠５５との間に挟まれる位置まで延びており、前記回路基板５７の縁面６１ｂが、挿入口４６の内面と、支持枠５５の開口部５５ａの内面とほぼ同一面に現れている。
【００５３】
この実施の形態では、回路基板５７の縁面６１ｂを挿入口４６の内部通路まで接近させているため、縁面６１ｂの近くまで導体パターン６３を形成することができ、さらに導体パターンの設計余裕を生じさせることができる。
【００５４】
【発明の効果】
以上のように本発明では、ノーズに記録媒体の挿入口を形成し、この挿入口にドアを支持する支持枠を取りつける場合に、この支持枠の一部と回路基板とを重ねることにより、回路基板を広い幅寸法で使用でき、導体パターンの形成に余裕をもたせることができるようになる。
【図面の簡単な説明】
【図１】本発明の実施の形態として車載用電子機器の筐体前部の構造を示す分解斜視図、
【図２】前記筐体の前方で機器本体が立ち上がり姿勢に回動した状態を示す斜視図、
【図３】ノーズを筐体側から示す分解斜視図、
【図４】ノーズを筐体側から示す部分背面図、
【図５】支持枠を示す背面図、
【図６】図４のＶＩ−ＶＩ線の断面図、
【図７】図４のＶＩＩ−ＶＩＩ線の断面図、
【図８】他の実施の形態のノーズを示す断面図、
【図９】従来の車載用電子機器の前部を示す部分斜視図、
【符号の説明】
１１  筐体
１２  天井板
１２ａ  二つ折り部
１３  側板
２０  突出移動部
２１  移動部材
２２  支持部材
２３  機器本体
２７  表示画面
３０  案内部材
４０  ノーズ
４１  本体部
４６  挿入口
４８  ドア
５１  枠部
５２  突起
５５  支持枠
５５ｂ  第１の取付け部
５５ｃ  挿入穴
５５ｄ  第２の取付け部
５５ｅ  取付け穴
５７  回路基板
５７ａ，５７ｂ  取付け穴
５８，５９  支持柱
６１  凹部
６１ａ  切欠き
６１ｂ  縁面
６２  スイッチ
６３  導体パターン
【図１】
0003604589.tif 000002
【図２】
0003604589.tif 000003
【図３】
0003604589.tif 000004
【図４】
0003604589.tif 000005
【図５】
0003604589.tif 000006
【図６】
0003604589.tif 000007
【図７】
0003604589.tif 000008
【図８】
0003604589.tif 000009
【図９】
0003604589.tif 000010